(57)【要約】【課題】簡素な構造であって、小型、軽量、低コストであるけれども、光学部品を精密に駆動できる光学部品駆動装置を提供する。【解決手段】光学部品（１０）と、弾性を持つサスペンション（４０）を介して光学部品を所定方向に可動な状態で支持する支持部材と、光学部品に設けられた電気コイル（２０）と、光学部品に設けられた金属製ランド（３０）と、支持部材上の電気コイルに対応した位置に設けられた永久磁石（５０）とを有している。電気コイルおよび金属製ランドはそれぞれ、光学部品上に直接、被膜状に形成されている。サスペンションは、金属製ランドにハンダ付けされている。電気コイルに電圧を印加することで、永久磁石と電気コイルとの電磁誘導作用によって光学部品が所定方向に駆動される。【選択図】      図２
2004325830.tif 000002
【特許請求の範囲】
【請求項１】
光学部品と、弾性を持つサスペンションを介して前記光学部品を所定方向に可動な状態で支持する支持部材と、前記光学部品に設けられた電気コイルと、前記光学部品に設けられた金属製ランドと、前記支持部材上の前記電気コイルに対応した位置に設けられた永久磁石とを有し、
前記電気コイルおよび前記金属製ランドはそれぞれ、前記光学部品上に直接、被膜状に形成されており、
前記サスペンションは、前記金属製ランドにハンダ付けされており、
前記電気コイルに電圧を印加することで、前記永久磁石と該電気コイルとの電磁誘導作用によって前記光学部品が前記所定方向に駆動されることを特徴とする光学部品駆動装置。
【請求項２】
前記金属製ランドの少なくとも１つは、前記電気コイルに電気的に接続しており、
前記サスペンションの少なくとも１つは、導電性を持ち、前記電気コイルに接続された前記金属製ランドにハンダ付けされており、
導電性を持つ前記サスペンションならびに該サスペンションがハンダ付けされた前記金属製ランドを介して前記電気コイルに電圧を印加することで、前記光学部品は、前記永久磁石と該電気コイルとの電磁誘導作用によって前記所定方向に駆動される請求項１に記載の光学部品駆動装置。
【請求項３】
前記電気コイルに接続された前記金属製ランドならびに導電性を持つ前記サスペンションはそれぞれ、１つの前記電気コイルに対して２つ以上備えられている請求項２に記載の光学部品駆動装置。
【請求項４】
前記サスペンションは、ワイヤ状またはストリップ状を呈する請求項１乃至３のいずれかに記載の光学部品駆動装置。
【請求項５】
前記光学部品は、線対称または回転対称な形状を呈し、
前記サスペンションは、前記光学部品の対称形状に応じた対称的な配置で複数備えられている請求項１乃至４のいずれかに記載の光学部品駆動装置。
【請求項６】
前記光学部品は、プラスチックレンズ、プラスチックプリズム、またはプラスチック光学片である請求項１乃至５のいずれかに記載の光学部品駆動装置。
【請求項７】
前記電気コイルおよび前記金属製ランドは、前記光学部品の光学的機能をなす機能面以外の部分に形成されている請求項１乃至６のいずれかに記載の光学部品駆動装置。
【請求項８】
前記電気コイルおよび前記金属製ランドは、ＭＩＤ（Ｍｏｌｄｅｄ  Ｉｎｔｅｒｃｏｎｎｅｃｔ  Ｄｅｖｉｃｅ）技術を用いて前記光学部品上に形成されている請求項１乃至７のいずれかに記載の光学部品駆動装置。
【発明の詳細な説明】
【０００１】
【発明の属する技術分野】
本発明は、レンズ等の光学部品およびこの光学部品を駆動する手段を有する光学部品駆動装置に関する。
【０００２】
【従来の技術】
従来、ＣＤおよびＤＶＤ等の光ディスクまたはＭＯ等の光磁気ディスクを扱う光ディスクドライブにおける光ピックアップ装置、デジタルカメラ等における光学的手段、カメラ付き携帯電話機等における光学的手段、電動ズームを備えた所謂銀塩フィルムカメラ等における光学的手段、液晶プロジェクタにおける光学的手段、あるいはスキャナにおける光学的手段などには、レンズ、偏光子、検光子、光学プリズム、波長板、ミラー、あるいはハーフミラー等の光学部品が用いられている。
【０００３】
これらの光学部品には、支持部材に対して固定的に取り付けられるものと、所定方向に可動な状態で支持部材によって支持されると共にこの所定方向に駆動されるものとがある。
【０００４】
駆動される光学部品は、例えば、ピント合わせ、ズーム、走査等の機能をなすために、支持部材に対して所定方向に可動な状態で支持部材によって支持されると共に動力源によって駆動されるものである。尚、駆動の動力源は、人為的、純機械的なものもあるが、前述したような、少なくとも一部に電気を用いる構成を有する機器においては、電磁誘導作用を利用したり（回転モータやリニアモータ（ボイスコイル））、圧電作用を利用して、いわば電気的に駆動される。また、これら光学部品には、ガラス製のものや、樹脂製のものがある。
【０００５】
従来、特に比較的小さい光学部品およびこの光学部品を駆動する手段を有する光学部品駆動装置においては、ボイスコイルの構成要素の一方、即ち、電気コイルまたは永久磁石が取り付けられると共にプラスチックレンズ等の光学部品を収容したホルダが、サスペンションを介して、ボイスコイルの構成要素の他方、即ち、永久磁石または電気コイルが取り付けられた支持部材によって、所定方向に可動な状態で支持される構造が一般的である。
【０００６】
尚、比較的精密な機器に用いられる光学部品駆動装置においては、プラスチックレンズ等の光学部品の位置決めが重要であるため、光学部品は、ホルダに対して紫外線硬化樹脂やエポキシ接着剤等によって接着、固定される。
【０００７】
また、電気コイルは、細線をボビンに巻回して接着剤等で固定されて成る電気コイルアセンブリとしてホルダまたは支持部材に接着されるか、あるいは、ホルダまたは支持部材に細線を巻回した上で接着剤等で固定されることで、ホルダまたは支持部材に取り付けられる。
【０００８】
【特許文献１】
特開２００１−２５６６６０号公報
【０００９】
【発明が解決しようとする課題】
近年、前述した光ディスクドライブ、デジタルカメラ、カメラ付き携帯電話機等は、小型化、軽量化、低コスト化がより一層求められており、これらの機器に用いられる光学的手段にも、小型化、軽量化、低コスト化が要求されている。
【００１０】
とりわけ、光学部品およびこの光学部品を駆動する手段を有する光学部品駆動装置は、光学部品を可動に支持すると共に駆動しなければならないため、通常、複雑な構造となるのは不可避であり、機器の小型化、軽量化、低コスト化を阻む大きな要因である。逆に云えば、光学部品駆動装置を小型化、軽量化、低コスト化できれば、機器の小型化、軽量化、低コスト化に大変有用であり、望まれる処である。
【００１１】
それ故、本発明の課題は、簡素な構造であって、小型、軽量、低コストであるけれども、光学部品を精密に駆動できる光学部品駆動装置を提供することである。
【００１２】
【課題を解決するための手段】
本発明によれば、光学部品（１０）と、弾性を持つサスペンション（４０）を介して前記光学部品を所定方向に可動な状態で支持する支持部材と、前記光学部品に設けられた電気コイル（２０）と、前記光学部品に設けられた金属製ランド（３０）と、前記支持部材上の前記電気コイルに対応した位置に設けられた永久磁石（５０）とを有し、前記電気コイルおよび前記金属製ランドはそれぞれ、前記光学部品上に直接、被膜状に形成されており、前記サスペンションは、前記金属製ランドにハンダ付けされており、前記電気コイルに電圧を印加することで、前記永久磁石と該電気コイルとの電磁誘導作用によって前記光学部品が前記所定方向に駆動されることを特徴とする光学部品駆動装置が得られる。
【００１３】
本発明によればまた、前記金属製ランドの少なくとも１つは、前記電気コイルに電気的に接続しており、前記サスペンションの少なくとも１つは、導電性を持ち、前記電気コイルに接続された前記金属製ランドにハンダ付けされており、導電性を持つ前記サスペンションならびに該サスペンションがハンダ付けされた前記金属製ランドを介して前記電気コイルに電圧を印加することで、前記光学部品は、前記永久磁石と該電気コイルとの電磁誘導作用によって前記所定方向に駆動される前記光学部品駆動装置が得られる。
【００１４】
本発明によればさらに、前記電気コイルに接続された前記金属製ランドならびに導電性を持つ前記サスペンションはそれぞれ、１つの前記電気コイルに対して２つ以上備えられている前記光学部品駆動装置が得られる。
【００１５】
また、本発明によれば、前記サスペンションは、ワイヤ状またはストリップ状を呈する前記光学部品駆動装置が得られる。
【００１６】
さらに、本発明によれば、前記光学部品は、線対称または回転対称な形状を呈し、前記サスペンションは、前記光学部品の対称形状に応じた対称的な配置で複数備えられている前記光学部品駆動装置が得られる。
【００１７】
本発明によればまた、前記光学部品は、プラスチックレンズ、プラスチックプリズム、またはプラスチック光学板である前記光学部品駆動装置が得られる。
【００１８】
本発明によればさらに、前記電気コイルおよび前記金属製ランドは、前記光学部品の光学的機能をなす機能面以外の部分に形成されている前記光学部品駆動装置が得られる。
【００１９】
また、本発明によれば、前記電気コイルおよび前記金属製ランドは、ＭＩＤ技術を用いて前記光学部品上に形成されている前記光学部品駆動装置が得られる。
【００２０】
尚、上記括弧内の参照符号は、本発明の理解を助けるために付したものであり、本発明はこれらに限定されないのは勿論のことである。
【００２１】
【発明の実施の形態】
以下、本発明の実施の形態について図面を参照して説明する。
【００２２】
図１および図２を参照して、本発明による光学部品駆動装置は、例えば、光ピックアップ装置における対物レンズのフォーカシング調整装置であり、プラスチックレンズ１０と、弾性を持つサスペンション４０を介してプラスチックレンズ１０を所定方向（図中、上下方向）に可動な状態で支持する支持部材（図示せず）と、プラスチックレンズ１０に設けられた電気コイル２０と、プラスチックレンズ１０に設けられた金属製ランド３０と、支持部材上の電気コイル２０に対応した位置に設けられた永久磁石５０とを有している。
【００２３】
プラスチックレンズ１０は、図中下方に突出した凸レンズである。
【００２４】
電気コイル２０および金属製ランド３０はそれぞれ、後述する三次元射出回路部品（ＭＩＤ：  Ｍｏｌｄｅｄ  Ｉｎｔｅｒｃｏｎｎｅｃｔ  Ｄｅｖｉｃｅ）技術を用いて、プラスチックレンズ１０上に直接、被膜状に形成されている。
【００２５】
プラスチックレンズ１０は、線対称または回転対称な形状を呈しており（本例では、略円板状）、サスペンション４０は、光学部品の対称形状に応じた対称的な配置で２つ備えられている。即ち、１８０度間隔で備えられている。これにより、安定して可動に支持されている。尚、サスペンション４０の対称配置の数は、１８０度間隔で２つに限られるものではなく、１２０毎に配置される３つでも、あるいは、９０度間隔で４つでもよい。また、永久磁石５０の数や位置も、後述のごとく電気コイル２０と電磁誘導作用をなすべく数や位置が決定されるが、さらにサスペンション４０の位置や数との兼ね合いを考慮して決定されてもよい。
【００２６】
また、サスペンション４０は、本例のごとくワイヤ状でなくとも、ストリップ状でも、あるいは、コイルバネ状を呈していてもよい。
【００２７】
電気コイル２０に接続された金属製ランド３０ならびに導電性を持つサスペンション４０はそれぞれ、１つの電気コイル２０に対して２つ備えられている。これにより、後述のごとく、プラスチックレンズ１０の支持と電気コイル２０への電力供給とを兼用できる。
【００２８】
２つの金属製ランド３０はそれぞれ、電気コイル２０の末端に電気的に接続している。尚、本例では、金属製ランド３０は電気コイル２０に対して、ＭＩＤ技術によって予め一連に形成されている。サスペンション４０は、導電性を持ち、電気コイル２０に接続された金属製ランド３０にハンダ付けされている。そして、サスペンション４０ならびにサスペンション４０がハンダ付けされた金属製ランド３０を介して電気コイル２０に電圧を印加することで、プラスチックレンズ１０は、永久磁石５０と電気コイル２０との電磁誘導作用によって所定方向に駆動される。
【００２９】
本発明によればさらに、電気コイル２０および金属製ランド３０は、プラスチックレンズ１０の光学的機能をなす機能面以外の部分に形成されている。即ち、本例では、電気コイル２０および金属製ランド３０は、プラスチックレンズ１０の光学的機能をなす機能面である上下主面以外の面である側面に形成されている。
【００３０】
さて、ＭＩＤ技術を用いた電気コイル、金属製ランドの形成方法としては、例えば、射出成形品であるプラスチックレンズ１０にＣｕ等の無電解メッキを施した後に、所望の回路パターンのレジストを施してエッチングを行う。
【００３１】
この他に、直接銅箔を加熱されたスタンピングダイによって、打ち抜き、樹脂成形品に圧入して密着させることで、回路パターンを形成する方法であってもよい。この方法は、ＭＩＤ−ＩＶＯＮＤＩＮＧ法とも呼ばれる。
【００３２】
尚、本発明による光学部品駆動装置おける光学部品は、レンズに限らず、動作や調整等のために駆動が必要な他の光学部品、例えば、偏光子、検光子、光学プリズム、波長板、ミラー、ハーフミラーなどの光学部品に適用できることは勿論である。そして、フォーカシング調整に限らず、光学的ズーム機構等の各種光学的機能の動作や調整のための装置に適用かのうである。また、本発明による光学部品駆動装置は、ＣＤおよびＤＶＤ等の光ディスクまたはＭＯ等の光磁気ディスクを扱う光ディスクドライブにおける光ピックアップ装置、デジタルカメラ、カメラ付き携帯電話機、電動ズームを備えた銀塩フィルムカメラ、液晶プロジェクタ、あるいはスキャナ等、種々の機器に適用できる。
【００３３】
【発明の効果】
以上説明したように、本発明による光学部品駆動装置は、簡素な構造であって、小型、軽量、低コストであるけれども、光学部品を精密に駆動できる。
【図面の簡単な説明】
【図１】本発明の実施の形態による光学部品駆動装置の要部を示す斜視図である。
【図２】本発明の実施の形態による光学部品駆動装置を示す斜視図である。
【符号の説明】
１０    プラスチックレンズ
２０    電気コイル
３０    金属製ランド
４０    サスペンションワイヤ
５０    永久磁石
【図１】
2004325830.tif 000003
【図２】
2004325830.tif 000004